(57)【要約】  本発明は、内視鏡（２）の外周に任意に取り付けるための作業チャネル装置（１）であって、チューブ形状またはホース形状の作業チャネル（３）と、内視鏡（２）の周囲をクランプまたはクラスプ方式で把持するように構成される遠位固定手段（４）と、クランプまたはクラスプ方式で内視鏡（２）の周囲を把持するように構成される近位固定手段（６）と、作業チャネル装置（１）の作業チャネル（３）の近位端領域に取り付けられるかまたは取り付け可能であり、近位固定手段（６）を有するかまたは一体的に形成し、さらに医療機器を接続する接続点／インターフェース（５１）を形成するアダプタ（５）と、を有する作業チャネル装置（１）に関する。
2020516359.tif 000002
【特許請求の範囲】
【請求項１】
内視鏡（２）の、特に可撓性シャフト設計の外周に任意に取り付けるための作業チャネル装置（１）であって、チューブ形状またはホース形状の作業チャネル（３）と、好ましくは前記作業チャネル（３）に固定され、好ましくはクリップの形態であり、前記内視鏡（２）の周囲を好ましくはその内視鏡ヘッド（２１）上でクランプまたはクラスプ方式で把持するように構成される遠位固定手段（４）と、好ましくはその内視鏡グリップ（２３）上でクランプまたはクラスプ方式で前記内視鏡（２）の周囲を把持するように構成される前記作業チャネル（３）に固定される近位固定手段（６）と、前記作業チャネル装置（１）の前記作業チャネル（３）の近位端領域に取り付けられるかまたは取り付け可能であり、近位固定手段（６）を有するかまたは一体的に形成し、さらに医療機器を接続する接続点／インターフェース（５１）を形成する、好ましくはスリーブ形状のアダプタ（５）と、を有する作業チャネル装置（１）。
【請求項２】
前記遠位固定手段（４）は、前記遠位固定手段（４）を前記内視鏡ヘッド（２１）に対して軸方向に形状嵌め方式（form-fit manner）で画定する少なくとも一つの内視鏡ヘッドストッパ（４２）を形成することを特徴とする請求項１に記載の作業チャネル装置（１）。
【請求項３】
前記内視鏡ヘッドストッパ（４２）は、前記作業チャネル装置（１）に適合された前記内視鏡（２）の前記内視鏡ヘッド（２１）の前側に当接するように構成されていることを特徴とする請求項２に記載の作業チャネル装置（１）。
【請求項４】
前記遠位固定手段（４）は、前記作業チャネル（３）を収容するための少なくとも部分的に円形の断面を有する第一の収容部と、前記内視鏡ヘッド（２１）を収容するための少なくとも部分的に円形の断面を有し、前記第一の収容部に隣接して平行に整列された第二の収容部と、を有することを特徴とする請求項１〜３のいずれか一項に記載の作業チャネル装置（１）。
【請求項５】
前記第一の収容部は、前記第二の収容部に向かって開いているか、またはスロットが形成されたスリーブ形状を有し、前記第二の収容部は、前記第一の収容部から離れるように延在する二つの三日月形状のクランプアームによって形成されることを特徴とする請求項４に記載の作業チャネル装置（１）。
【請求項６】
前記遠位固定手段（４）の前記三日月形状のクランプアームが適合された内視鏡の前面の平面内にその外面を有する円形を画定し、前記第一の収容部を画定する前記スリーブの外面が、前記第一の収容部の直径の半分以下だけ半径方向にこの円形を超えて突出することを特徴とする請求項５に記載の作業チャネル装置（１）。
【請求項７】
前記近位固定手段（６）は、前記内視鏡グリップ（２３）の周囲を把持するために前記アダプタ（５）から離れて延びる二つのウイングまたはラグ（６１）として構成され、次に、特に前記ウイングまたはラグ（６１）の自由端の領域において、それぞれがテープまたはストラップ（６４）を誘導するためのアイレット（６３）を形成することを特徴とする請求項１〜６のいずれか一項に記載の作業チャネル装置（１）。
【請求項８】
前記テープまたはストラップ（６４）を案内するために、前記ウイングまたはラグ（６１）から離れた前記スリーブ状アダプタ（５）の側に配置されたフック（６２）を特徴とする請求項７に記載の作業チャネル装置（１）。
【請求項９】
前記近位固定手段（６）は、特にその本来の弾力性によって、前記内視鏡グリップ（２３）をそれらの間にクランピングする形で収容するように構成された、二つの弓形カンチレバー（６５）から構成されることを特徴とする請求項１〜６のいずれか一項に記載の作業チャネル装置（１）。
【請求項１０】
前記弓形カンチレバー（６５）の少なくとも一方、好ましくは両方がその自由端に、テープまたはストラップ（６４）を保持するための、前記カンチレバー（６５）の曲率方向とは反対方向に湾曲したフック（６６）を有することを特徴とする請求項９に記載の作業チャネル装置（１）。
【請求項１１】
前記弓形カンチレバー（６５）の少なくとも一つが、テープまたはストラップ（６４）をしっかりと保持するために、そのスロット開口部の領域で狭められた少なくとも一つの保持スリットをその縁領域に有することを特徴とする請求項９または１０に記載の作業チャネル装置（１）。
【請求項１２】
前記アダプタ（５）が、異物が前記作業チャネル（３）の近位端に入ること、および／または空気もしくは液体が前記作業チャネル（３）の近位端から漏れることを防止する一体化された弁を有することを特徴とする請求項１〜１１のいずれか一項に記載の作業チャネル装置（１）。
【請求項１３】
追加の被覆ホース（７０）が、前記作業チャネル（３）および前記内視鏡（２）がそれに適応されるように適合され、かつ構成されることを特徴とする請求項１〜１２のいずれか一項に記載の作業チャネル装置（１）。
【請求項１４】
好ましくは可撓性の内視鏡シャフト（２２）を有する内視鏡（２）を有する内視鏡システムであって、その遠位端に内視鏡ヘッド（２１）が配置され、その近位端に内視鏡グリップ（２３）が配置され、請求項１〜１３のいずれか一項に記載の特徴を有する作業チャネル装置（１）を特徴とする内視鏡システム。
【発明の詳細な説明】
【技術分野】
【０００１】
本発明は、内視鏡（特に可撓性シャフト設計）の外周に任意に取り付けるための適応型の外部／別個の作業チャネル装置、およびそのような外部作業チャネル（追加作業チャネル（Additional Working Channel）、略してＡＷＣ）を有する（可撓性）シャフト設計の内視鏡に関する。ＡＷＣは、内視鏡／内視鏡ヘッドの上／周囲に取り付けられ、任意の所望のまたは所定の位置でそれに位置決めされるように準備される。
【発明の概要】
【課題を解決するための手段】
【０００２】
本発明によるＡＷＣは本質的に４つの構成要素を有する。
【０００３】
第一の構成要素は、（その内径に関して）（共通／従来の）内視鏡の遠位端（内視鏡ヘッド）とのプラグ／スナップオンまたはクリップ接続を確立するように設計された遠位端キャップまたはクランプ／ばねクリップによって実現される。スナップ式接続とは別に、エンドキャップまたはクランプ／ばねクリップは、好ましくは、エンドキャップまたはクランプ／ばねクリップに選択的にしっかりと接続されるか、または別個の追加の構成要素として封入される接着テープでさらに固定されうる。
【０００４】
第二の構成要素は、追加の作業チャネルを形成し、エンドキャップまたはクランプ／ばねクリップに接続されるか、または固定して接続されるホースまたは可撓性パイプスリーブによって実現される。ホース／パイプスリーブは、好ましくは遠位端で切断され、または、内視鏡シャフトの現在の軸方向長さに応じた長さに切断されるか切断されうる。さらに、例えば、追加の接着ストリップまたはクリップまたはベルクロ（登録商標）テープのためのさらなる取り付け位置／取り付け手段が、好ましくは等距離で、ホース／パイプスリーブに存在／提供されてもよく、それによって、ホースは、標準として提供される内視鏡ヘッドとその内視鏡グリップとの間で内視鏡シャフトに固定されてもよい。
【０００５】
第三の構成要素は、別個のホース／パイプスリーブの近位端部分を内視鏡グリップに一時的／任意的に取り付けるための解放可能な固定手段に関し、例えば、ホース／パイプスリーブの近位端部分に（所定の長さに正確に切断された後で）取り付けることができ、好ましくはベルクロ（登録商標）テープ／ゴムストラップ／ベルト等のようなテンションストラップを締結することができる締結具（アイレット／貫通孔／フック／ボタン等）を自由端に有する二つのクリップ型またはウイング型取り付けラグからなる。
【０００６】
第四の構成要素は、標準化された接続システムのためのインターフェースを有するアダプタによって実現される。このアダプタは最初に、ホース／パイプスリーブの近位端にスリーブ状に取り付けられるように準備され、それによって、アダプタはまた、二つのクランプ状または翼状の取り付けラグを、好ましくは一体的に、同時に保持する。したがって、ＡＷＣをシリンジ／ポンプなどの他の医療デバイスと経済的に結合するために、従来の接続システムをアダプタに結合することもできる。
【０００７】
言い換えれば、本発明は、内視鏡に追加の作業チャネル（ＡＷＣ）を装備するための改造キットに関する。セットは、可撓性ホースとして形成され、改造内視鏡のシャフトに円周方向に配置され取り付けられる前記追加作業チャネルと、追加作業チャネルの遠位端を改造内視鏡の遠位端に接続するように構成される遠位固定手段と、追加作業チャネルの近位端を改造内視鏡のハンドル部分に固定するように構成される近位固定手段と、医療器具またはデバイス（例えば注射器）のためのインターフェースとしてのアダプタと、を含む。
【０００８】
本発明の一態様によれば、カバーホースは、作業チャネル上に引っ張られるように適合および構成され、内視鏡がそれに適合／後付けされる、追加の（第五の）構成要素として提供されてもよい。したがって、カバーホースは内視鏡およびその上に配置された追加の作業チャネルを包み、したがって、組織がこれらの二つの構成要素の間に捕捉されること（これは、トラブル（complications）（例えば、組織の裂け目および穿孔）につながりうる。）を防止できる。
【０００９】
本発明の好ましい構成によれば、遠位固定手段は少なくとも一つの内視鏡ヘッドストッパを形成することができ、この内視鏡ヘッドストッパは、遠位固定手段を内視鏡ヘッドに対して、その軸方向のフォームクロージャによって固定する。この内視鏡ヘッドストッパは、好ましくは、ワーキングチャネルデバイスに適合された内視鏡の内視鏡ヘッドの前面／前面に接触するように構成されうる。このようにして、ＡＷＣを後付けした内視鏡が挿入されたときに、追加の作業チャネルが近位に滑るのを確実に防止する形状適合（form-fit）が作り出される。
【００１０】
さらなる好ましい構成によれば、遠位固定手段は、作業チャネルを収容するための少なくとも部分的な円形断面を有する第一の収容部と、内視鏡ヘッドを収容するための少なくとも部分的な円形断面を有し、第一の収容部に隣接して平行に配置された第二の収容部と、を有しうる。
【００１１】
本発明の好ましい構成によれば、第一の収容部は第二の収容部に向かって開いた、またはスロットが形成されたスリーブ形状を有することができ、第二の収容部は、第一の収容部から離れるように延びる二つの三日月形クランプアームによって形成することができる。追加の作業チャネルの遠位端は対応して、スリーブ形状の第一の収容部内に押し込まれることができ、一方、三日月形状のクランプアームはそれらの内面とともに、改造された内視鏡の遠位先端の周りをクランプすることができる第二の収容部を形成する。そのスロット付きスリーブ形状のために、第一の収容部は、その固有の弾性によって、クランプアームのクランプ力（の少なくとも一部）を提供するばね要素として機能することができる。
【００１２】
上記構成のさらなる発展によれば、遠位固定手段の三日月形のクランプアームはその外面で、適合された内視鏡の前面の平面内に円形を画定することができ、第一の収容部を画定するスリーブの外面は、この円形上で、第一の収容部の直径の半分以下だけ半径方向に突出（project）／突出（protrude）できる。換言すれば、追加の作業チャネルは、遠位固定手段の前面シルエットに嵌合できる。遠位作業チャネル端が遠位キャップの外周からその全直径で半径方向に突出する従来のＡＷＣとは対照的に、記載された構造設計は改造された内視鏡を挿入するときに、より良好な滑り特性をもたらす。
【００１３】
好ましい構成によれば、近位固定手段は、アダプタと一体的に形成することができる。したがって、アダプタは内視鏡のグリップに人間工学的にアダプタを取り付けるのに役立つ、二つのクランプ状、弓状、または翼状の取り付けラグまたはカンチレバー（好ましくは一つの材料片で作られる）を有する。カンチレバーは第一の構成の穴を有し、アダプタはフックまたはボタンを有し、これらのすべては、ベルクロ（登録商標）テープ接続または他の（張力）ストラップに係合するように機能する。第二の、代替的な構成では、カンチレバーは、ハンドルをしっかりと締め付けることができるように、内視鏡グリップをフック形状の延長部またはバックルにスナップ留めまたは挿入するのに役立ち、さらに追加の弾性要素／ストラップ／テープ／ゴムをフック留めすることを可能にするフック（フック形状の延長部またはバックル）を有する。
【００１４】
本発明の好ましい構成によれば、クランプ状、弓状または翼状の取り付けラグまたはカンチレバーは、互いから離れて面するそれらの自由端にフックを形成することができ、これらのフックは内視鏡グリップを取り囲む取り付けラグまたはカンチレバーを固定するために、ゴムリングまたはバンドで互いに対して引っ張られることができる。好ましくは、取り付けラグの少なくとも一つまたはカンチレバーの一つはその自由端でフックに隣接するその縁領域に保持スリットを有しうる。この保持スリットは取り付けラグまたはカンチレバーの縁部に向かって開いており、この開口部は狭部（ボトルネック）を形成する。ゴムリングまたはゴムバンドは、前記狭い点を通ってスナップ留めされ（その中にあらかじめ取り付けることができる）、したがって保持スリット内に保持される。これにより、ＡＷＣを内視鏡グリップに取り付ける際に、ゴムリングまたはゴムバンドがフックから滑り出して地面に落下する（非滅菌状態になる）ことが防止される。
【００１５】
さらなる態様によれば、アダプタは一体化された弁を有してもよく、または器具が作業チャネル内で使用されるときに作業チャネルを封止するように、および／または空気／液体が患者の身体から逃げない／流れることができないように封止するように意図された弁がアダプタ上に取り付けられてもよい。
【図面の簡単な説明】
【００１６】
本発明は、好ましい例示的な実施形態を使用して、添付の図面を参照して、以下により詳細に説明される。図面は本質的に単に概略的であり、本発明を理解するためにのみ役立つ。同一の要素には同一の参照符号を付してある。
【００１７】
【図１】本発明の第一の構成による内視鏡グリップ、内視鏡シャフト、および作業チャネルデバイスを備える内視鏡を示す図
【図２】第一の構成による本発明による作業チャネル装置の遠位固定手段または遠位端キャップを示す図
【図３】第一の構成による遠位端キャップが内視鏡に取り付けられた状態の管状またはホース状の作業チャネルを示す図
【図４】内視鏡なしの第一の構成による遠位端キャップを有する管状またはホース状の作業チャネルを示す図
【図５】第一の構成による作業チャネル装置の近位固定手段を示す図
【図６】内視鏡グリップに固定された状態の、第一の構成による作業チャネル装置の近位固定手段を示す図
【図７】第二の構成による作業チャネル装置の近位固定手段を示す図
【図８】第二の構成に係る作業チャネル装置の近位固定手段の断面図
【図９】好ましい構成における遠位端キャップの断面図
【図１０】第一の構成による作業チャネル装置の近位固定手段の断面図
【図１１】第二の構成による内視鏡ヘッドに取り付けられた遠位端キャップの正面図
【図１２】第二の構成に係るエンドキャップの斜視図
【図１３】第二の構成による内視鏡ヘッドに取り付けられたエンドキャップの斜視図
【図１４】第三の構成による作業チャネル装置の近位固定手段を示す図
【図１５】密閉具および弁を有する近位固定手段に配置されたアダプタの詳細を示す図
【図１６】第三の構成による近位固定手段の斜視図
【図１７】内視鏡のない構成による完全な作業チャネル装置の図
【図１８】カバーホースを備えた構成による作業チャネル装置の詳細を示す図
【発明を実施するための形態】
【００１８】
基本的に、本発明は可撓性シャフト設計の（市販の）内視鏡２に、追加の作業チャネル３、いわゆるＡＷＣ(Additional Working Channel)を改造するための作業チャネル装置１に関する。このような内視鏡２は従来技術において周知であり、したがって、以下では非常に簡単に説明する。このタイプの内視鏡２は、通常、一次（内視鏡内部）作業チャネルの出口、撮像用の光学系、および／またはランプなどのような、以下ではより詳細に説明しない様々な機能ユニット２５が配置された内視鏡ヘッド２１を有する。さらに、このような内視鏡２は、通常、受動的に屈曲可能な剛性部分、好ましくは能動的に屈曲可能な部分（偏向）を有する可撓性シャフト２２と、様々な機能ユニット２５をベースステーションなどに接続するための様々な操作要素および端子を有するグリップ２３と、を有する。
【００１９】
本発明に係る作業チャネル装置１の追加作業チャネル３は、ホース３（または管状スリーブ３）によって形成され、これは、使用中に内視鏡シャフト２２に適用され、グリップ２３から内視鏡ヘッド２１まで沿いかつ外側に延び、このように形成される追加の外部作動チャネルを通じて、ユーザ側から患者に（最小限侵入する）工具および／または媒体を導入できる。
【００２０】
好ましい例示的な実施形態では、作業チャネル／ホース３が最初に、所定の長さに切断され／切断され、内視鏡シャフト２２の長さに適合される。作業チャネル／ホース３の遠位出口の位置合わせおよび軸方向位置を決定するために、遠位固定手段（遠位キャップ）４が作業チャネル／ホース３の遠位端に設けられる。この固定手段４は、内視鏡ヘッド２１の外周を、望ましくは内視鏡ヘッド外周の約４／５の部分円に囲まれ、二つのクレッジ状クランピングアーム４５を形成し、それによってクランピング法で固定／切断することができる統合された固定部４３を備える（図３参照）。遠位固定手段４の断面図（図９）が示すように、それは、スリーブのような形で作業チャネル／ホース３に押し込まれ、ストッパ４１を介してそれと関連して画定される。好ましくは、作業チャネル／ホース３がその固有の弾性によって、遠位固定手段４をスリーブ状に収容するクランプ効果を生成する。作業チャネル／ホース３のためのスリーブ状の収容部は固定部分４３に面する側にスロットが設けられ、したがって、ばね要素としても働き、ばね要素はその固有の弾性のために、規定された所定の応力に打ち勝つことによって三日月形クランプアーム４５の撓みを可能にする。部分円形状の固定部分４３はまた、好ましくは固定部分４３の部分円形状の周りに延在し、内視鏡ヘッド２１に対して遠位固定手段４を軸方向に画定するために内視鏡ヘッド２１の遠位端円周縁と相補的である停止部４２を形成する。遠位固定手段４の固定部分４３は内視鏡ヘッド２１の前面に位置する機能ユニットを露出させるか、または妨害されないままにするために、主にその外周面上で内視鏡ヘッド２１と相互作用する。好ましくは、遠位固定手段４が過剰な力による意図しない緩みに対して、テープ４４でさらに固定することができる。
【００２１】
固定部分４３またはそのクランプアーム４５は、図３において適合された内視鏡２から離れて面する上部領域に配置され、その結果、ホース３のためのスリーブ形状の収容部は、半径方向にクランプアーム４５を越えてはるかに突出しない。これは、特に遠位キャップ４の遠位円周縁の環状の設計と組み合わせて、遠位固定手段４の前面シルエットの比較的滑らかな／流線形の外側輪郭をもたらす。
【００２２】
作業チャネル／ホース３が内視鏡シャフト２２と接触することを確実にするために、作業チャネル／ホース３は、テープ／接着テープ３１またはクリップ（図示せず）で、好ましくは均等な間隔でそれに固定される。
【００２３】
好ましくは、スリーブ形状のアダプタ５が使用者に面する作業チャネル／ホース３の近位開口部に取り付けられ、これは、適用可能であれば、医療デバイスのための標準化された接続ポイント／インターフェース５１を形成する。図示の例示的な実施形態では、これは注射器等を接続するためのルアーコーンである。スリーブ形状アダプタ５はまた、近位アダプタ５に対して作業チャネル／ホース３を軸方向に固定するために、その内側で円周方向に延びるストッパ５２を形成する。ここでも、ホース３の固有の弾性は、アダプタ５との付加的な力ロック接続（additional force-locking connection）を有利に形成することができる。
【００２４】
作業チャネル装置１は、近位固定手段６により、好ましくは内視鏡グリップ２３上に、特に、アダプタ５が改造された内視鏡２０の通常の作業チャネルの入口２４の高さにほぼあるように、近位に取り付けられる。固定手段６は、以下に示され説明される例示的な実施形態ではアダプタ５と一体的に製造されるが、別個のモジュール構成要素として設計することもできる。
【００２５】
近位固定手段６の第一の構成は取り付けられたときに内視鏡グリップ２３を少なくとも部分的にまたは完全に取り囲むことができるように、スリーブ形状アダプタ５の外周から離れるように延びる二つの翼／固定ラグ６１を提供する。ウイング６１とは反対側のアダプタの外周側には、ベルクロ（登録商標）テープ６４（または他のテンションストラップ）を固定するのに役立つフック６２が配置される。次に、このベルクロ（登録商標）テープ／テンションストラップ６４を、フック６２を介して固定し、ウイング６１の自由端のアイレット６３を通して案内して、近位固定手段６、したがって作業チャネル装置１をグリップ２３に固定／結び付けることができる。
【００２６】
近位固定手段６の第二の構成は、翼の自由端部６１に、特に上方（凸状）のカンチレバー６５を設けており、この二つは、内視鏡グリップ２３の周りを、クラスプまたは強制力（一部円形）の形でグリップするように構成されている。ウイング６１および／またはカンチレバー６５は、グリップ２３がそれらの間にスナップ留めされることができるように、ある固有の弾性を有する。カンチレバー６５を確実に固定するために、反対側（凹状）に湾曲したフック６６がそれらの自由端に設けられている。これらのフック６６の助けにより、カンチレバー６５の自由端はゴムリング、Ｏリング等によって広がらないように固定することができ、それによって、近位固定手段６は、内視鏡２０のグリップ２３上にしっかりと保持される。言い換えれば、カンチレバー６５はフック６６が自由端に配置された状態で、本質的にΩ形状を形成し、その脚部は、追加の弾性バンドによって開放運動に対して固定される。
【００２７】
作業チャネル装置１の第三の構成は、第一に、作業チャネル装置が付加的なカバーホース７を有する点で異なる。さらに、遠位固定手段（遠位キャップ）４、アダプタ５、および近位固定手段６の設計は、以下でより詳細に説明するように、第一および第二の構成とはわずかに異なる。
【００２８】
図１１〜１３が示すように、本発明の第三の構成の遠方固定手段またはそれぞれのキャップ４には、ラグ状の内視鏡の頭部ストッパ４２が設けられており、これは固定部４３の三日月形クランピングアーム４５から半径方向の内側に延長され、内視鏡ヘッド２１の前面とストッパを形成することにより、近接側に近接するキャップ４のスリップが確実に防止されるようになっている。さらに、内視鏡ヘッドストッパ４２は、遠位キャップ４を内視鏡ヘッド２１に取り付けるときに、内視鏡ヘッド２１に対する追加作業チャネル３の遠位出口の規定された位置を容易にする。
【００２９】
図１４に示す第三の構成の作業チャネル装置１のアダプタ５は、一方では（一体的に製造された）キャップ５３で閉鎖することができ、他方ではその内部に弁装置を有し、これはさらに詳細には示されていないが、作業チャネル３内への異物の意図しない侵入、ならびに体液の意図しない漏れなどを防止する。
【００３０】
図１５および図１６に示す第三の構成の近位固定手段６は、アダプタ５と一体的に形成された二つの三日月形クラスプ６５を含み、これらのクラスプは内視鏡グリップ２３の周りを把持し、それらの遠位端部分に形成されたフック６６およびゴムリング６７によって互いに対して締め付けられるように構成されているという点で、第二の構成のものと同様である。本発明の第三の構成の近位固定手段６は、フック６６の一つに隣接して、フック６６を担持する留め金６５の自由端の縁に成形される追加の保持スリットまたはアイレット６８を有する。保持スリット６８は、それらの開口部の領域においてより狭く、内側においてより球根状であり、その結果、ゴムリング６７は弾性変形の下で狭い点を通って押される／スナップ留めされることができるのみであるが、保持スリット６８の球根状領域において再び拡張する。このようにして、ゴムリング６７は、近位固定手段６にしっかりと保持され、組み立て中にフック６６から滑り落ちて床に落下することがない。
【００３１】
第三の構成において追加の構成要素として追加されたカバーホース７は、図１７および図１８に最もよく示されている。図１８に示すように、カバーホース７は、内視鏡ヘッド２１の背後で近位に取り付けられ、適合された内視鏡２の内視鏡シャフト２２および追加の作業チャネル３の上で内視鏡グリップ２３に向かって引っ張られる。図１８に見られるように、追加の作業チャネル３は特定の状況下では内視鏡シャフト２２がそれに応じて曲げられるときに、内視鏡シャフト２２からわずかに突出し、その結果、ギャップが形成される。このような場合、カバーホース７は、組織外傷につながる可能性がある組織が前記ギャップ内に捕捉されることを防止する。図１７に示す作業チャネル装置１は取り付け中にカバーホース７を一時的に固定するためのケーブルツイストクリップ７１と、小さな（案内）チューブ７２とを含み、これにより、集められたカバーホース７を適合される内視鏡２上に滑り込ませることが容易になる。
【００３２】
以下、上述した第三の構成を用いて、作業チャネル装置１を内視鏡２に装着する典型的な手順について説明する。
【００３３】
まず、作業チャネル装置１に含まれるカバーホース７の小チューブ７２に内視鏡を押し込む。
【００３４】
続いて、ストッパ４２が内視鏡チップ２１の前面に接触するように、遠位固定手段（４）が内視鏡チップ２１上に配置される。この時点で依然として相対的に回転可能である作業チャネル３は、所望の用途に応じて円周方向に配置される。次いで、遠位固定手段は、セットに含まれる接着ストリップ３１を使用して内視鏡に固定される。
【００３５】
ＡＷＣアダプタ５は、カンチレバーまたはクラスプ６５を作業チャネルの上方のグリップの周りに配置することによって、内視鏡作業チャネル入口の隣の右または左（好みに応じて）に近位固定手段６を用いて内視鏡グリップ２３に取り付けられる。次に、ゴムリング６７を設けられたフック６６に取り付けることによって、アダプタ５をクラスプ６５に固定する。
【００３６】
ＡＷＣアダプタ５の約１０ｃｍ下の内視鏡シャフト上のさらなる接着ストリップ３１は、内視鏡グリップ２３にそれをさらに取り付ける。
【００３７】
遠位ケーブルねじりクリップ７１を取り外し、遠位固定手段の接着ストリップ３１からある距離をおいてホース端を接着ストリップ３１で内視鏡２に取り付け、小管７２を使用してカバーホース７（内視鏡カバー）を内視鏡２の近位端に引き戻す。それはこのプロセスの間に展開する。カバーホース７は、遠位端に余分な材料がないように、近位端に向かって平滑化される。残りのケーブルツイストクリップ７１および小チューブ７２は取り除かれる。システムの導入を容易にするために、カバーホース７の表面は、追加の接着ストリップ３１をカバーホース７の上に互いに距離を置いて分配することによって減少させることができる。
【符号の説明】
【００３８】
１  作業チャネル装置
２  内視鏡
２１  内視鏡ヘッド／内視鏡チップ
２２  内視鏡シャフト
２３  内視鏡グリップ
２４  通常の作業チャネルの入口／アクセス
２５  機能ユニット（光学系、ランプ、ワーキングチャネルなど）
３  ワーキングチャネルまたは各作業チャネル／ホース／可撓性パイプスリーブ
３１  固定テープ
４  遠位固定手段／遠位端キャップ
４１  遠位ホースストッパ
４２  内視鏡ヘッドストッパ
４３  固定部
４４  固定用テープ
４５  クランプアーム
５  アダプタ
５１  インターフェース／ルアーコーン
５２  近位ホースストッパ
５３  キャップ
６  近位固定手段
６１  ウイング／固定ラグ
６２  フック
６３  アイレット
６４  （ベルクロ（登録商標））テープ
６５  カンチレバー／留め具
６６  フック
６７  ゴム製リング
６８  保持スリット
７    カバーホース
７１  ケーブルツイストクリップ
７２  小管
【図１】
2020516359.tif 000003
【図２】
2020516359.tif 000004
【図３】
2020516359.tif 000005
【図４】
2020516359.tif 000006
【図５】
2020516359.tif 000007
【図６】
2020516359.tif 000008
【図７】
2020516359.tif 000009
【図８】
2020516359.tif 000010
【図９】
2020516359.tif 000011
【図１０】
2020516359.tif 000012
【図１１】
2020516359.tif 000013
【図１２】
2020516359.tif 000014
【図１３】
2020516359.tif 000015
【図１４】
2020516359.tif 000016
【図１５】
2020516359.tif 000017
【図１６】
2020516359.tif 000018
【図１７】
2020516359.tif 000019
【図１８】
2020516359.tif 000020
【国際調査報告】
2020516359.tif 000021
2020516359.tif 000022
2020516359.tif 000023
2020516359.tif 000024
2020516359.tif 000025